(57)【要約】【課題】  組立てを快速に完成できる接続具を提供する。【解決手段】  前側には嵌係部２が設けてあり、一側面には止め体３が突設してあり、後側には貫通孔４が開けてある。接続具１は、後側に開けた貫通孔４を挿通する螺着素子５により物置板６の各角部に螺着され、止め体３は物置板６の下面と当接する。嵌係部２は、棚脚部の断面形状に比例する。嵌係部２の断面形状は、コ字形を呈する。接続具１の嵌係部２は棚脚部の断面形状に比例するので、接続具１にある嵌係部２が棚脚部７に容易に嵌係することができるため、組み立てを快速に完成できる。【選択図】    図５
0003106660.tif 000002
【実用新案登録請求の範囲】
【請求項１】
前側には嵌係部が設けてあり、一側面には止め体が突設されており、後側には貫通孔が開けられていることを特徴とする接続具。
【請求項２】
前記接続具は、後側に開けた貫通孔を挿通する螺着素子により物置板の各角部に螺着され、前記止め体は物置板の下面と当接することを特徴とする請求項１に記載の接続具。
【請求項３】
前記接続具の嵌係部は、棚脚部の断面形状に比例することを特徴とする請求項１に記載の接続具。
【請求項４】
前記接続具の嵌係部の断面形状は、コ字形を呈することを特徴とする請求項１に記載の接続具。
【考案の詳細な説明】
【技術分野】
【０００１】
本考案は、組立てを快速に完成できる接続具に関するものである。
【背景技術】
【０００２】
図１は、従来の接続係り具の斜視図である。従来の接続係り具Ａは物置層体Ｃに溶接され、前記接続係り具Ａの前端に係り鉤Ｂが設けてあり、そうすると、接続係り具Ａを棚脚部Ｄに組立てようとするときに、係り鉤Ｂを棚脚部Ｄの角部に精確に合わせて木質ハンマーによって敲くことが必要である。しかしながら、このような組立て方法は、木質ハンマーによってそれらを敲くので、接続係り具Ａの係り鉤Ｂと棚脚部Ｄとの間は摩擦が大きすぎて塗装層が剥離することがよくあり、物置棚全体の美観が落とされる。また、接続係り具Ａが溶接により物置層体Ｃに固定されるので、接続係り具Ａの係り鉤Ｂが棚脚部Ｄの寸法に完全に合わないと組立てることができないため、上記のような固定式の接続係り具の最大の欠点は、使用者の需要によって適当に調整することができないことである。
【０００３】
だから、ある業者は調整できる接続係り具Ｄ１を開発した。図２から図４を参照する。図２は従来の物置棚の斜視図であり、図３は従来の接続係り具の分解斜視図であり、図４は従来の接続係り具の組立状態を示す斜視図である。図３に示すように、前記接続係り具Ｄ１の前側には係り溝Ｅが設けてあり、後側には貫通孔Ｆが開けてあり、図４に示すように、前記貫通孔Ｆを挿通するねじＧにより、前記接続係り具Ｄ１が物置層体Ｈの前後の予定位置に固定され、前記接続係り具Ｄ１の係り溝Ｅが棚脚部Ｉに組立てられる。しかしながら、このような組立て方法は、接続係り具Ｄ１を物置層体Ｈの正面位置に取付けることが必要なので、図２に示すように、正面から物置棚Ｊを見ると、ねじが露出するので、物置棚全体の美観が落とされる。
【考案の開示】
【考案が解決しようとする課題】
【０００４】
本考案の主な目的は、組立てを快速に完成できる接続具を提供する。
【課題を解決するための手段】
【０００５】
上記目的を達成するためになされた本考案は、前側には嵌係部が設けてあり、一側面には止め体が突設してあり、後側には貫通孔が開けてあることを特徴とする接続具であることを要旨としている。
【０００６】
本考案では、前記接続具は後側に開けた貫通孔を挿通する螺着素子により物置板の各角部に螺着され、前記止め体が物置板の下面と当接することを特徴とする請求項１に記載の接続具であることを要旨としている。
【０００７】
本考案では、前記接続具の嵌係部は棚脚部の断面形状に比例することを特徴とする請求項１に記載の接続具であることを要旨としている。
本考案では、前記接続具の嵌係部の断面形状はコ字形を呈することを特徴とする請求項１に記載の接続具であることを要旨としている。
本考案に係る接続具によれば、組立てを快速に完成できる。
【考案を実施するための最良の形態】
【０００８】
以下、添付図面を参照して、本考案の好適な実施の形態を詳細に説明する。
まず、図５から図７を参照する。図５は本考案の一実施例による接続具の組立て方法を示す概略図であり、図６は本考案の一実施例による接続具の正面からの斜視図であり、図７は本考案の一実施例による接続具の背面からの斜視図である。
【０００９】
本考案の一実施例による接続具１は、図６と図７に示すように、前側には断面形状がコ字形を呈する嵌係部２が設けてあり、一側面には止め体３が突設してあり、後側には貫通孔４が開けてあり、前記接続具１は後側に開けた貫通孔４を挿通する螺着素子５により物置板６の各角部に螺着され、図５に示すように、前記止め体３が物置板の下面と当接する。これにより、本実施例の接続具の取付け箇所は物置棚の両側に位置するので、物置棚を正面から見る場合には、ねじが一切見えず、物置棚全体の美観が向上する。また、本実施例の接続具の止め体３は、使用者が螺着素子の弛緩度を調整するときに、止め体３が物置板の角部にもっと近接するので、組立ての緊密度を向上できる。
【００１０】
次に、図８と図９を参照する。図８は本考案の一実施例による接続具による物置棚の斜視図であり、図９は本考案の一実施例の組立て方法を示す斜視図である。
本実施例の接続具１は、後側に開けた貫通孔４を挿通する螺着素子５により物置板６の各角部に螺着され、物置板６が棚脚部７と組立てられて物置棚７になる。前記接続具１の嵌係部２は棚脚部７の断面形状に比例するので、接続具１にある嵌係部２が棚脚部７に容易に嵌係することができる。だから、使用者は、物置板６の接続具１を棚脚部７に組立てようとするときに、図９に示すように、まず、一側の二角部を組立てた後、他側の二角部を組立てる。これにより、組立てを快速に完成できる。
【００１１】
次に、図１０を参照する。図１０は、本考案の他の実施例による接続具の組立て方法を示す斜視図である。
使用者は、物置板６の接続具１を棚脚部７に組立てようとするときに、物置板６の四つの角部に設けた接続具１を棚脚部７に直接に組立ててもいい。本実施例の接続具１の嵌係部２の断面形状は棚脚部の断面形状に比例するので、組立てを快速に完成できる。
【図面の簡単な説明】
【００１２】
【図１】従来の接続係り具の斜視図である。
【図２】従来の物置棚の斜視図である。
【図３】従来の接続係り具の分解斜視図である。
【図４】従来の接続係り具の組立状態を示す斜視図である。
【図５】本考案の一実施例による接続具の組立て方法を示す概略図である。
【図６】本考案の一実施例による接続具の正面からの斜視図である。
【図７】本考案の一実施例による接続具の背面からの斜視図である。
【図８】本考案の一実施例による接続具による物置棚の斜視図である。
【図８−１】図８の一部の拡大図である。
【図８−２】図８の一部の拡大図である。
【図９】本考案の一実施例による接続具の組み立て方法を示す斜視図である。
【図１０】本考案の他の実施例による接続具の組み立て方法を示す斜視図である。
【図１０−１】図１０の一部の拡大図である。
【符号の説明】
【００１３】
１  接続具、２  嵌係部、３  止め体、４  貫通孔、５  螺着素子、６  物置板、７  棚脚部、８  物置棚
【図１】
0003106660.tif 000003
【図２】
0003106660.tif 000004
【図３】
0003106660.tif 000005
【図４】
0003106660.tif 000006
【図５】
0003106660.tif 000007
【図６】
0003106660.tif 000008
【図７】
0003106660.tif 000009
【図８】
0003106660.tif 000010
【図８−１】
0003106660.tif 000011
【図８−２】
0003106660.tif 000012
【図９】
0003106660.tif 000013
【図１０】
0003106660.tif 000014
【図１０−１】
0003106660.tif 000015
【手続補正書】
【提出日】平成16年9月17日(2004.9.17)
【手続補正１】
【補正対象書類名】実用新案登録請求の範囲
【補正対象項目名】全文
【補正方法】変更
【補正の内容】
【実用新案登録請求の範囲】
【請求項１】
物置板の四つの角部に設けられる板状の接続具であって、
長手方向の一方の端部には嵌係部が設けてあり、板厚方向の一方の面側からは止め体が突設されており、長手方向の他方の端部側には貫通孔が開けられていることを特徴とする接続具。
【請求項２】
前記接続具は、前記貫通孔を挿通する螺着素子により物置板の各角部に螺着され、前記止め体は物置板の一方の面と当接することを特徴とする請求項１に記載の接続具。
【請求項３】
前記嵌係部は、棚脚部の断面形状に対応する形状を有することを特徴とする請求項１に記載の接続具。
【請求項４】
前記接続具の嵌係部の断面形状は、コ字形を呈することを特徴とする請求項１に記載の接続具。